(57)【特許請求の範囲】
【請求項１】
梱包する物品を緩衝する緩衝クッションにおいて、
段ボールの段目と交差する方向に互いに平行な複数の切断線を形成するとともに、それぞれの切断線を部分的に連結し、
さらに前記段ボールの前記切断線によって区画される各領域に該各領域が重合わされたときに整合するように分割線を形成するとともに、段目の方向の端部側の前記切断線によって区画された領域の前記分割線と対応する位置に折曲げ可能な折曲げ線を形成し、
前記段ボールを前記切断線のところで該切断線によって区画される領域を交互に逆方向に折曲げて重合わせて接合するとともに、
前記切断線によって区画される各領域の前記分割線を整合させて分割し、前記段目の方向の端部側の前記切断線によって区画された領域の前記折曲げ線により前記分割線の両側の部分を互いに折曲げ可能にしたことを特徴とする緩衝クッション。
【請求項２】
前記切断線が段目と直交するように形成されるとともに、前記分割線が段目と平行に形成されることを特徴とする請求項１に記載の緩衝クッション。
【請求項３】
前記分割線が前記切断線と平行に形成されていることを特徴とする請求項１に記載の緩衝クッション。
【請求項４】
前記分割線が予め切断されていることを特徴とする請求項１に記載の緩衝クッション。
【請求項５】
前記分割線が切断誘導線から形成され、該分割線が切断されて折曲げ線のところで折曲げられることを特徴とする請求項１に記載の緩衝クッション。
【請求項６】
前記折曲げ線が段ボールの厚さ方向の一部が切断された折曲げ線であることを特徴とする請求項１に記載の緩衝クッション。
【請求項７】
前記折曲げ線がその長さ方向の一部が部分的に連結された折曲げ線であることを特徴とする請求項１に記載の緩衝クッション。
【発明の詳細な説明】
【０００１】
【発明の属する技術分野】
本発明は緩衝クッションに係り、とくに梱包する物品を緩衝する緩衝クッションに関する。
【０００２】
【従来の技術】
各種の物品を物流に供する場合には、物流段階の途中で物品が損傷されないように梱包あるいは包装を行なうようにしていた。一般的な包装形態は、物品を段ボールケース内に収納するとともに、物品と段ボールケースとの間の隙間の部分にコーナクッション等の緩衝クッションを配するようにしたものである。外部からの衝撃は上記コーナクッションによって吸収されて物品が保護される。精密機器や壊れ易い物品については、このような包装形態が必須になる。
【０００３】
【発明が解決しようとする課題】
従来のこのような包装形態あるいは梱包形態によれば、それぞれの物品を段ボールケース内に収納した状態で、物品と段ボールケースとの間にそれぞれ発泡スチロール樹脂の緩衝クッションを配さなければならない。発泡スチロール樹脂の緩衝クッションは成形するための金型を要し、しかもこのような金型は、成形されるクッションの形状が違うと異なる金型を用意する必要がある。従ってコスト的に不利なものである。またこのような緩衝クッションは、リモネンのような特殊な薬剤によって溶解して再生することはできるものの、使用後に焼却廃棄を行なうと、黒煙を発生するとともに高熱を発して焼却炉を損傷することになる。従ってこのことから、廃棄物公害の原因になる。
【０００４】
本発明はこのような問題点に鑑みてなされたものであって、成形するための金型を必要とせず、リサイクルが可能であって、しかも焼却廃棄しても公害を発生しないようにした緩衝クッションを提供することを目的とする。
【０００５】
【課題を解決するための手段】
本願の一発明は、梱包する物品を緩衝する緩衝クッションにおいて、
段ボールの段目と交差する方向に互いに平行な複数の切断線を形成するとともに、それぞれの切断線を部分的に連結し、
さらに前記段ボールの前記切断線によって区画される各領域に該各領域が重合わされたときに整合するように分割線を形成するとともに、段目の方向の端部側の前記切断線によって区画された領域の前記分割線と対応する位置に折曲げ可能な折曲げ線を形成し、
前記段ボールを前記切断線のところで該切断線によって区画される領域を交互に逆方向に折曲げて重合わせて接合するとともに、
前記切断線によって区画される各領域の前記分割線を整合させて分割し、前記段目の方向の端部側の前記切断線によって区画された領域の前記折曲げ線により前記分割線の両側の部分を互いに折曲げ可能にしたことを特徴とする緩衝クッションに関するものである。
【０００６】
ここで前記切断線が段目と直交するように形成されるとともに、前記分割線が段目と平行に形成されてよい。また前記分割線が前記切断線と平行に形成されてよい。また前記分割線が予め切断されてよい。また前記分割線が切断誘導線から形成され、該分割線が切断されて折曲げ線のところで折曲げられてよい。また前記折曲げ線が段ボールの厚さ方向の一部が切断された折曲げ線であってよい。また前記折曲げ線がその長さ方向の一部が部分的に連結された折曲げ線であってよい。
【０００７】
【作用】
本願の上記一発明によれば、切断線のところで段ボールを交互に逆方向に折曲げて重合わせて接合することによって緩衝クッションが得られる。ここで分割線の部分を分割すると、折曲げ線によってこの分割線の両側の部分が互いに折曲げ可能になり、これによって一部を折曲げた状態で用いることが可能な緩衝クッションが得られる。
【０００８】
【発明の実施の形態】
図１〜図５は本発明の第１の実施の形態に係る緩衝クッションを示すものであって、この緩衝クッションは図１に示すような段ボール１０から構成されている。段ボール１０はほぼ長方形の形状をなすとともに、図１に示すようにその段目と直交する方向に互いに平行な１１本の切断線１１が形成されている。このような切断線１１によって段ボール１０は１２枚の細長い板状体に区画されるようになる。それぞれの切断線１１にはその長さ方向の中間位置にそれぞれが一対の切込み１２によって区画された複数の連結部１３が形成されるようになる。このような連結部１３によって切断線１１のところで互いに折曲げ可能に折曲げられるようになっている。
【０００９】
さらにこの段ボール１０は、図１において左右にそれぞれ１本ずつのミシン目から成る分割線１７が段目と平行であって切断線１１と直交するように形成されている。分割線１７は１番上側の切断線１１と交差する位置から、１番下側の切断線１１と交差する位置まで形成されている。これに対して１番上側の切断線１１よりも上方において分割線１７の延長上には折曲げ線１８が形成されている。１番下側の切断線１１の下側であって分割線１７の延長位置にも折曲げ線１８が形成されている。
【００１０】
なおここで折曲げ線１８は通常の折曲げ線であって一部を変形させて単に溝を形成したものであるが、このような構成に代えて片側のライナを切断するか、片側のライナとともに中芯を切断して厚さ方向の一部を切断した切断線であってよい。
【００１１】
またこの段ボール１０はそれぞれの切断線１１の長さ方向の中間位置においてこれらの切断線１１に臨むように切断線２２とその両側の分割線２３とによってコ字状に切込みが入れられている。なお１番上側の切断線１１よりも上側においては、切断線２２に代えて両側の分割線２３の先端部を折曲げ線２４によって連結するようにしている。１番下側の切断線１１の下側の部分においても、切断線２２に代えて折曲げ線２４が形成され、このような折曲げ線２４が両側の分割線２３の終端を連結している。
【００１２】
次にこのような段ボール１０によって緩衝クッションを組立てる動作について説明すると、図２に示すように、段ボール１０を切断線１１のところで互いに交互に逆方向に折曲げる。なおこのときに予め切断線１１によって区画されるそれぞれの領域に澱粉糊を塗布しておくことによって、切断線１１のところで折曲げて重合わせると、互いに接合されて図３に示すような状態になる。
【００１３】
ここで両側の分割線１７よりも外側の領域であって５番目の切断線１１と６番目の切断線１１との間の領域および６番目の切断線１１と７番目の切断線１１との間の領域にそれぞれ糊を塗布しないようにすると、図４に示すように両端がそれぞれ前後に折曲げられる。
【００１４】
ここで分割線１７のところで段ボール１０を分割すると、折曲げ線１８よりも先端側の部分が折曲げ線１８を介して中間部分と連結されるようになる。すなわち左右のミシン目から成る分割線１７の部分をそれぞれ分割することによって、この緩衝クッションの長さ方向の両端がその厚さ方向に２分割されるとともに折曲げ線１８によって折曲げ可能に連結された状態になる。
【００１５】
またこのような緩衝クッションは、切断線１１に臨んで形成される切断線２２と分割線２３から成るコ字状の切込みの部分が互いに接合されることになる。そしてこのときに５番目の切断線１１と６番目の切断線１１との間の領域および６番目の切断線１１と７番目の切断線１１との間の領域においてこのようなコ字状の切込みの部分に糊を塗布しないでおくと、分割線２３と切断線２２とによって区画される領域は、１番上側の切断線１１よりも上側の分割線２３と折曲げ線２４とによって区画される部分と１番下側の切断線１１よりも下側の分割線２３と折曲げ線２４とによって区画される領域に接合されることになり、折曲げ線２４によって他の部分から折曲げ可能に連結されるようになる。
【００１６】
すなわちこの包装用クッションの長さ方向のほぼ中央部であって一対の分割線２３と切断線２２とによって区画される領域を、分割線２３を分割することによって折曲げ線２４を中心として前後方向に折曲げ可能に連結した状態になる。
【００１７】
従って図５に示すように、このような緩衝クッションは、その長さ方向の両端であって折曲げ線１８よりも先端側の部分とその長さ方向の中間部分であって折曲げ線２４よりも上側の部分がそれぞれ外側に回動されるようになり、図４に示すような形態を経て図５に示すような形態に変化することになる。とくに図５に示すような形状に変化できることから、複雑な形態の包装用クッションとして利用することが可能になり、とくに段ボール１０を折曲げたクッションでありながら、複雑な形態を有するようになる。
【００１８】
次に第２の実施の形態を図６〜図１０によって説明する。この実施の形態は、図６に示すような段ボール１０によって形成されている。この段ボール１０はその全体の形状がほぼ長方形をなすとともに、その段目と直交するように、すなわち横方向に延びるように５本の切断線１１が所定の間隔で互いに平行に形成されている。これらの切断線１１にはその長さ方向の所定の位置に一対の切込み１２によって区画された複数の連結部１３が形成されている。
【００１９】
そして２番目の切断線１１と４番目の切断線１１に臨むようにその両側にそれぞれ矩形の切込み２８が形成されている。さらにこの段ボール１０の上端と下端にも同様の切込み２８が形成されている。またこの段ボール１０の切断線１１によって区画されるそれぞれの領域の左右の角の部分にはそれぞれＬ字状に切欠き２９が形成されている。切欠き２９はその切欠かれる位置が交互に逆転するようになっている。
【００２０】
ここで図６に示す段ボール１０の左右の部分には、それぞれ段目と平行であって上記切断線１１と直交するように一対の分割線１７が形成されている。なお１番下側の切断線１１よりも下側の領域においては分割線１７に代えて折曲げ線１８が形成されている。ここで分割線１７はミシン目から構成されており、後から分割できるようになっている。
【００２１】
次にこのよう段ボール１０によって緩衝クッションを組立てる動作を説明すると、図７に示すようにこのような緩衝クッション１０の切断線１１によって区画されるそれぞれの領域に糊を塗布するとともに、切断線１１のところで互いに逆方向に交互に折曲げる。これによって図８に示すような細長い緩衝クッションが得られる。
【００２２】
このような緩衝クッションは、とくに図８に示すようにその長さ方向の中間位置であってその上面に、切欠き２８を整合して成る凹部が形成される。またその長さ方向の両端の肩の部分には、上記Ｌ字状の切欠き２９が整合されて、クッションの全幅に及ぶ切欠き２９が形成されることになる。
【００２３】
ここで段ボール１０の図６において左右の部分にそれぞれ形成されているミシン目から成る分割線１７を分割すると、この切断線１７よりも左右の端部側の部分が図９に示すように折曲げ線１８の部分で折曲げられるようになる。すなわちこの緩衝クッションは、図９に示すようにその長さ方向の両端を分割線１７によって分割することにより、折曲げ線１８の部分で折曲げ可能な構造になる。
【００２４】
従ってこのことから、上記折曲げ線１８の部分を９０°折曲げると図９に示すような形状になる。また折曲げ線１８の部分を１８０°折曲げると図１０に示すような形状になる。従ってこの緩衝クッションによって緩衝される物品の形態に応じて、その長さ方向の両端を適宜折曲げ線１８のところで所定の角度折曲げることによって、物品の対応する部位を効果的に緩衝できるようになる。
【００２５】
次に第３の実施の形態を図１１〜図１５によって説明する。この実施の形態は図１１に示すような段ボール１０を折曲げて組立てられるようになっている。段ボール１０はほぼ長方形の形状をなすとともに、段目と直交するように所定の間隔で７本の切断線１１が互いに平行に形成されている。これらの切断線１１には一対の切込み１２によって区画されるように複数の連結部１３が形成されている。またこの段ボール１０の左右には互いに平行に段目に平行であって切断面１１と直交するようにミシン目から成る分割線１７が形成されている。そして１番下側の切断線１１よりも下側の領域においては、分割線１７の延長位置において折曲げ線１８が形成されている。
【００２６】
また左右の分割線１７の外側であって２番目の切断線１１と４番目の切断線１１に臨む位置にはそれぞれこれらの切断線１１と直交する切断線３３が形成されるとともに、切断線３３の先端側は切断線１１と平行な分割線３４に交わっている。なお切断線３４の左右の端部はこの段ボール１０の左右の側端まで延びている。なお２番目の切断線１１についてはその上下の部分にそれぞれ上記切断線３３と分割線３４とが形成されているのに対し、４番目の切断線１１については、その上側に切断線３３と分割線３４とが形成されている。
【００２７】
また図１１に示す段ボール１０の１番上側の切断線１１の上側の領域であってその右肩の部分には高さ方向の切断線３３と横方向の折曲げ線３５とが形成されている。ここで横方向の折曲げ線３５にはその２個所にそれぞれ切込みによって区画された一対の連結部３６が形成されている。このような連結部３６によって切断線から成る折曲げ線３５を形成している。
【００２８】
次にこのような段ボール１０によって緩衝クッションを組立てる動作について図１２により説明する。上述の切断線１１によって囲まれるそれぞれの領域に澱粉糊を予め塗布しておく。そしてこのような状態で切断線１１のところで交互に逆方向に折曲げて接合する。これによって図１３に示すように所定の厚さの緩衝クッションが組立てられることになる。このような緩衝クッションは、その長さ方向の中間位置において切欠き２８が互いに整合されて凹部が形成される。
【００２９】
またこのような緩衝クッションは、図１４に示すように、その両側のミシン目から成る分割線１７を分割すると、この分割線１７よりも先端側の部分がそれぞれ折曲げ線１８によって折曲げられるようになり、これによって図１４に示すような状態になる。なお折曲げ線１８による折曲げ角度は図１４に示すような９０°の角度である必要はなく、１８０°折曲げてもよい。これによってこの緩衝クッションの長さ方向の両端がそれぞれ９０°または１８０°折曲げ可能になる。
【００３０】
さらにこの緩衝クッションは、分割線１７によって分割されて折曲げ線１８のところで折曲げられる左右の端部にそれぞれ形成されている切断線３３と分割線３４とによって、分割線３４を切断するとその厚さ方向の約半分の部分が折曲げ線３５を中心として外側に折曲げられることになる。上述の如く折曲げ線３５には一対の連結部３６が形成されているために、このような連結部３６によって切断線から成る折曲げ線３５のところでその上側のブロック状の部分が外側に折曲げられることになる。これによって図１５に示すような形態の緩衝クッションになる。
【００３１】
すなわち段ボール１０を折曲げ線１８のところで互いに交互に折曲げて重合わせて接合したものでありながら、分割線１７、３４をそれぞれ利用して分割することによって、複雑な形態に折曲げられるようになる。従って梱包される物品の形状に応じて、その所要の部位をより確実に緩衝することが可能になる。
【００３２】
次に第４の実施の形態を図１６〜図１９によって説明する。この実施の形態は４角な枠体を構成するように折曲げ可能にした緩衝クッションに関するものである。この緩衝クッションは図１６に示すような段ボール１０から組立てられるようになっている。段ボール１０にはその段目と直交する４本の切断線１１が互いに所定の間隔で互いに平行に形成されている。そしてそれぞれの切断線１１にはその長さ方向の任意の位置において一対の切込み１２によって区画されるように複数の連結部１３が形成されている。
【００３３】
またこの段ボール１０には上記段目と平行であって切断線１１と直交するように縦方向に延びる３本の分割線１７が形成されている。そしてこの分割線１７の延長上であって１番下側の切断線１１の下側の領域には、３本の折曲げ線１８が形成されている。また右側の分割線１７および折曲げ線１８よりも右側の領域には、それぞれの切断線１１によって囲まれる領域に８個ずつの円形の穴４０が形成されている。右から２番目の分割線１７および折曲げ線１８と３番目の分割線１７および折曲げ線１８によって囲まれる部分についても、それぞれの切断線１１によって囲まれる領域に８個ずつの円形の穴４０が形成されている。
【００３４】
次にこのような段ボール１０による緩衝クッションの組立てについて説明すると、図１７に示すようにこのような段ボール１０を切断線１１のところで交互に逆方向に折曲げて重合わせるとともに、塗布された糊によって接合する。すると図１８に示すような細長いブロック状をなす緩衝クッションが得られることになる。ここで図１６に示す段ボール１０の３本の切断線１１のところをそれぞれ分断すると、分割線１７の部分において折曲げ線１８が形成されている部分以外は互いに分断されることになり、折曲げ線１８によってその両側の部分が互いに折曲げ可能に連結されるようになる。
【００３５】
従って折曲げ線１８の部分で順次この緩衝クッションを直角に折曲げると、図１９に示すように４角の枠体を組立てることが可能になる。すなわち段ボール１０を切断線１１によって折曲げた緩衝クッションでありながら、しかも４角の枠体を組立てることが可能になり、これによって物品の４面を同時に緩衝できるようになる。しかも円形の穴４０が形成されている部分は、円形の穴４０が形成されていない部分よりも緩衝効果に優れるようになる。従って円形の穴４０が形成された領域と円形の穴４０が形成されていない領域とによって、耐圧強度と緩衝強度とをそれぞれ目的に応じて負担することが可能になり、耐圧強度に優れるとともに緩衝効果をも兼備えた緩衝クッションが得られることになる。
【００３６】
以上本発明を図示の実施の形態によって説明したが、本発明は上記実施の形態によって限定されることなく、本発明の技術的思想の範囲内において各種の変更が可能である。例えば分割線や折曲げ線の形成位置あるいは相互の位置関係については各種の変更が可能であって、これによって目的に応じた各種の形態の折曲げ可能な緩衝クッションを組立てることが可能である。
【００３７】
【発明の効果】
本願の一発明は、梱包する物品を緩衝する緩衝クッションにおいて、段ボールの段目と交差する方向に互いに平行な複数の切断線を形成するとともに、それぞれの切断線を部分的に連結し、さらに段ボールの切断線によって区画される各領域に該各領域が重合わされたときに整合するように分割線を形成するとともに、段目の方向の端部側の切断線によって区画された領域の分割線と対応する位置に折曲げ可能な折曲げ線を形成し、段ボールを切断線のところで該切断線によって区画される領域を交互に逆方向に折曲げて重合わせて接合するとともに、切断線によって区画される各領域の分割線を整合させて分割し、段目の方向の端部側の切断線によって区画された領域の折曲げ線により分割線の両側の部分を互いに折曲げ可能にしたものである。
【００３８】
従ってこのような緩衝クッションは、段ボールを切断線のところで交互に逆方向に折曲げて重合わせて接合するとともに、分割線を整合させて分割すると、折曲げ線によって分割線の両側の部分が互いに折曲げ可能になり、これによって複雑な形状に折曲げることが可能になるとともに、緩衝する物品の形態に応じて折曲げられるようになり、より効果的に物品を緩衝できるようになる。
【図面の簡単な説明】
【図１】第１の実施の形態の緩衝クッションを組立てる段ボールの展開平面図である。
【図２】同緩衝クッションの組立てを示す外観斜視図である。
【図３】接合されて組立てられた緩衝クッションの外観斜視図である。
【図４】折曲げの動作を示す緩衝クッションの外観斜視図である。
【図５】折曲げられた緩衝クッションの外観斜視図である。
【図６】第２の実施の形態の緩衝クッションを構成する段ボールの展開平面図である。
【図７】同緩衝クッションの組立て動作を示す外観斜視図である。
【図８】組立てられた緩衝クッションの外観斜視図である。
【図９】緩衝クッションの折曲げ動作を示す斜視図である。
【図１０】折曲げられた緩衝クッションの外観斜視図である。
【図１１】第３の実施の形態の緩衝クッションを構成する段ボールの展開平面図である。
【図１２】同緩衝クッションの組立て動作を示す外観斜視図である。
【図１３】組立てられた緩衝クッションの外観斜視図である。
【図１４】折曲げ動作を示す緩衝クッションの斜視図である。
【図１５】折曲げられた緩衝クッションの外観斜視図である。
【図１６】第４の実施の形態の緩衝クッションを構成する段ボールの展開平面図である。
【図１７】同緩衝クッションの組立て動作を示す外観斜視図である。
【図１８】組立てられた緩衝クッションの外観斜視図である。
【図１９】同緩衝クッションの折曲げられた状態の外観斜視図である。
【符号の説明】
１０  段ボール
１１  切断線
１２  切込み
１３  連結部
１７  分割線（ミシン目）
１８  折曲げ線
２２  切断線
２３  分割線
２４  折曲げ線
２８  切込み
２９  切欠き
３３  切断線
３４  分割線
３５  切断線
３６  連結部
４０  円形の穴
【図１】
0004189938.tif 000002
【図２】
0004189938.tif 000003
【図３】
0004189938.tif 000004
【図４】
0004189938.tif 000005
【図５】
0004189938.tif 000006
【図６】
0004189938.tif 000007
【図７】
0004189938.tif 000008
【図８】
0004189938.tif 000009
【図９】
0004189938.tif 000010
【図１０】
0004189938.tif 000011
【図１１】
0004189938.tif 000012
【図１２】
0004189938.tif 000013
【図１３】
0004189938.tif 000014
【図１４】
0004189938.tif 000015
【図１５】
0004189938.tif 000016
【図１６】
0004189938.tif 000017
【図１７】
0004189938.tif 000018
【図１８】
0004189938.tif 000019
【図１９】
0004189938.tif 000020